(57)【要約】【課題】使用資源量の大小の程度を利用者に直観的に認識させることを可能にし、しかも表示された使用資源量と管理単位との対応関係を把握しやすくする。【解決手段】資源管理システムは、原データ記憶部１１３と関係記憶部１１４と属性記憶部１１５とデータ抽出部１２２と表示制御部１２５とを備える。データ抽出部１２２は、関係記憶部１１４が記憶している計測点と管理単位２０３〜２０５との対応関係に基づいて原データ記憶部１１３から管理単位２０３〜２０５ごとの使用資源量を読み出す。表示制御部１２５は、管理単位２０３〜２０５ごとに管理量に応じて長さが変化する１本のバーグラフの形式で表示装置１３に表示させるグラフ表示部１２５１と、属性記憶部１１５から抽出した管理単位２０３〜２０５の名称を含む文字をバーグラフに対応付けて表示装置１３に表示させる文字表示部１２５２とを備える。【選択図】図１
2014092814.tif 000002
【特許請求の範囲】
【請求項１】
施設に設定された計測点ごとに所定の評価期間にわたって計測した使用資源量を記憶する原データ記憶部と、
前記計測点と前記施設に関する所定の管理単位との対応関係を記憶している関係記憶部と、
前記管理単位の名称を含む前記管理単位ごとの属性情報を記憶している属性記憶部と、
前記関係記憶部が記憶している前記対応関係に基づいて前記原データ記憶部から前記管理単位ごとの前記使用資源量を読み出すデータ抽出部と、
前記データ抽出部が前記原データ記憶部から読み出した前記使用資源量から導出される所要の管理量を表示装置に表示させる表示制御部とを備え、
前記表示制御部は、
前記管理単位ごとに前記管理量に応じて長さが変化する１本のバーグラフの形式で前記表示装置に表示させるグラフ表示部と、
前記属性記憶部から抽出した前記管理単位の名称を含む文字を前記バーグラフに対応付けて前記表示装置に表示させる文字表示部とを備える
資源管理システム。
【請求項２】
前記グラフ表示部は、前記属性記憶部が前記管理単位を複数記憶している場合、前記管理単位ごとの前記バーグラフを長さが変化する方向とは交差する方向に並べて一覧表示にする機能を有し、
前記文字表示部は、前記バーグラフごとに前記管理単位の名称を含む文字を対応付けて前記表示装置に表示させる機能を有する
請求項１記載の資源管理システム。
【請求項３】
前記バーグラフの少なくとも一部の領域に釦領域を設定し、入力装置により前記釦領域が操作されると前記表示装置の表示内容を切り替えさせる選択処理部と、
前記釦領域が操作されたときに、前記表示装置に詳細表示領域を表示させ、かつ当該釦領域が設定された前記バーグラフに対応付けられた前記管理単位に関する前記属性情報を前記属性記憶部から抽出し、抽出した前記属性情報を前記詳細表示領域に表示させる詳細表示部とをさらに備える
請求項２記載の資源管理システム。
【請求項４】
前記関係記憶部は、前記管理単位を階層構造で記憶し、
前記選択処理部は、前記入力装置により前記釦領域が操作されたときに前記表示装置に表示されている前記管理単位が最下層ではない場合、次下階層の前記管理単位に関する前記管理量を前記表示装置に前記バーグラフで表示させる機能を有する
請求項３記載の資源管理システム。
【請求項５】
前記詳細表示部は、前記詳細表示領域に前記属性情報と併せて前記管理量を表示させる
請求項３又は４記載の資源管理システム。
【請求項６】
前記グラフ表示部は、前記バーグラフを前記表示装置の画面における横方向の長さが変化するように表示する機能を有する
請求項２〜５のいずれか１項に記載の資源管理システム。
【請求項７】
前記文字表示部は、前記管理量を表す数値を含む文字を前記グラフに対応付けて前記表示装置に表示させる機能を有する
請求項１〜６のいずれか１項に記載の資源管理システム。
【請求項８】
前記管理量の種類を選択する種類選択部をさらに備える
請求項１〜７のいずれか１項に記載の資源管理システム。
【請求項９】
施設に設定された計測点ごとに所定の評価期間にわたって計測した使用資源量を記憶する原データ記憶部と、前記計測点と前記施設に関する所定の管理単位との対応関係を記憶している関係記憶部と、前記管理単位の名称を含む前記管理単位ごとの属性情報を記憶している属性記憶部とともに用いられる資源管理装置であって、
前記関係記憶部が記憶している前記対応関係に基づいて前記原データ記憶部から前記管理単位ごとの前記使用資源量を読み出すデータ抽出部と、
前記データ抽出部が前記原データ記憶部から読み出した前記使用資源量から導出される管理量を表示装置に表示させる表示制御部とを備え、
前記表示制御部は、
前記管理単位ごとに前記管理量を前記表示装置にグラフの形式で表示させるグラフ表示部と、
前記属性記憶部から抽出した前記管理単位の名称を含む文字を前記グラフに対応付けて前記表示装置に表示させる文字表示部とを備える
資源管理装置。
【請求項１０】
前記表示装置は通信路を介して接続される利用者端末に設けられ、
前記表示制御部と前記通信路との間に設けられる通信インターフェイス部をさらに備える
資源管理装置。
【請求項１１】
施設に設定された計測点ごとに所定の評価期間にわたって計測した使用資源量を記憶する原データ記憶部と、前記計測点と前記施設に関する所定の管理単位との対応関係を記憶している関係記憶部と、前記管理単位の名称を含む前記管理単位ごとの属性情報を記憶している属性記憶部とともに用いられる表示装置であって、
前記関係記憶部が記憶している前記対応関係に基づいて前記原データ記憶部から前記管理単位ごとの前記使用資源量を読み出すデータ抽出部と、
前記データ抽出部が前記原データ記憶部から読み出した前記使用資源量から導出される管理量を表示する表示器と、
前記管理単位ごとに前記管理量を前記表示装置にグラフの形式で表示させるグラフ表示部と、
前記属性記憶部から抽出した前記管理単位の名称を含む文字を前記グラフに対応付けて前記表示装置に表示させる文字表示部とを備える
表示装置。
【発明の詳細な説明】
【技術分野】
【０００１】
本発明は、施設で使用される資源を管理する資源管理システム、資源管理システムを構成する資源管理装置、資源管理システムを構成する表示装置に関する。
【背景技術】
【０００２】
従来から、建物のような施設で使用される資源（電気、ガス、水道など）の使用状況を、通信技術を用いて遠方で管理するシステムが提案されている（たとえば、特許文献１、特許文献２参照）。
【０００３】
特許文献１には、ビルにおいて設備が消費した資源量（以下、「使用資源量」という）がエネルギ計測サーバで計測され、インターネットを用いて使用資源量を計測サーバからデータセンタに送信するシステムが記載されている。データセンタは、使用資源量を継続的に記録したデータを計測データとし、計測データの統計処理を行って、ビルの設備による資源の消費傾向をグラフあるいは表を含む形式の情報を生成する。当該情報は、ディスプレイを含む出力装置にデータセンタからインターネットを通して送信され、ディスプレイに表示される。
【０００４】
ディスプレイに表示する形式として、特許文献１には、横軸を時刻とし縦軸を電力量として、一日の電力量の推移をグラフで表すことが記載されている。また、複数のビルの計測データに基づいて、ビルごとの使用資源量の大小を比較した結果を統計処理の結果に含め、ビルごとの使用資源量の大小の比較結果をベンチマーク結果として数値で表示する技術も記載されている。
【０００５】
一方、特許文献２には、複数の顧客ビルについて延床面積に対するエネルギー量の分布を表すグラフを作成する技術が記載されている。具体的には、縦軸をエネルギー原単位とし横軸を延床面積として、各顧客ビルについてプロットデータを作成し、顧客ビルごとのプロットデータを平均値と比較できるように表示する技術が記載されている。
【先行技術文献】
【特許文献】
【０００６】
【特許文献１】特開２００５−２５６５４号公報
【特許文献２】特開２０１１−４３９５８号公報
【発明の概要】
【発明が解決しようとする課題】
【０００７】
特許文献１に記載された技術は、ビルごとの使用資源量の大小の比較結果をベンチマーク結果として数値で表示し、また使用資源量の大きさによって並べ替えている。つまり、ベンチマーク結果では、使用資源量を数値のみで表しているから、利用者は使用資源量の大小の程度を直観的に知ることができない。
【０００８】
一方、特許文献２に記載された技術は、顧客ビルごとのエネルギー原単位を求めているが、プロットデータを用いているから、顧客ビルにおけるエネルギー原単位の分布は容易に理解されるが、顧客ビルとの対応関係がわかりにくいという問題がある。
【０００９】
本発明は、使用資源量の大小の程度を利用者に直観的に認識させることを可能にし、しかも表示された使用資源量と管理単位との対応関係を把握しやすくした資源管理システムを提供することを目的とし、また、資源管理システムを構成する資源管理装置を提供することを目的とし、さらに、資源管理システムを構成する表示装置を提供することを目的とする。
【課題を解決するための手段】
【００１０】
本発明に係る資源管理システムは、施設に設定された計測点ごとに所定の評価期間にわたって計測した使用資源量を記憶する原データ記憶部と、前記計測点と前記施設に関する所定の管理単位との対応関係を記憶している関係記憶部と、前記管理単位の名称を含む前記管理単位ごとの属性情報を記憶している属性記憶部と、前記関係記憶部が記憶している前記対応関係に基づいて前記原データ記憶部から前記管理単位ごとの前記使用資源量を読み出すデータ抽出部と、前記データ抽出部が前記原データ記憶部から読み出した前記使用資源量から導出される所要の管理量を表示装置に表示させる表示制御部とを備え、前記表示制御部は、前記管理単位ごとに前記管理量に応じて長さが変化する１本のバーグラフの形式で前記表示装置に表示させるグラフ表示部と、前記属性記憶部から抽出した前記管理単位の名称を含む文字を前記バーグラフに対応付けて前記表示装置に表示させる文字表示部とを備えることを特徴とする。
【００１１】
この資源管理システムにおいて、前記グラフ表示部は、前記属性記憶部が前記管理単位を複数記憶している場合、前記管理単位ごとの前記バーグラフを長さが変化する方向とは交差する方向に並べて一覧表示にする機能を有し、前記文字表示部は、前記バーグラフごとに前記管理単位の名称を含む文字を対応付けて前記表示装置に表示させる機能を有することが好ましい。
【００１２】
この資源管理システムにおいて、前記バーグラフの少なくとも一部の領域に釦領域を設定し、入力装置により前記釦領域が操作されると前記表示装置の表示内容を切り替えさせる選択処理部と、前記釦領域が操作されたときに、前記表示装置に詳細表示領域を表示させ、かつ当該釦領域が設定された前記バーグラフに対応付けられた前記管理単位に関する前記属性情報を前記属性記憶部から抽出し、抽出した前記属性情報を前記詳細表示領域に表示させる詳細表示部とをさらに備えることがさらに好ましい。
【００１３】
この資源管理システムにおいて、前記関係記憶部は、前記管理単位を階層構造で記憶し、前記選択処理部は、前記入力装置により前記釦領域が操作されたときに前記表示装置に表示されている前記管理単位が最下層ではない場合、次下階層の前記管理単位に関する前記管理量を前記表示装置に前記バーグラフで表示させることがさらに好ましい。
【００１４】
この資源管理システムにおいて、前記詳細表示部は、前記詳細表示領域に前記属性情報と併せて前記管理量を表示させる機能を有することがさらに好ましい。
【００１５】
この資源管理システムにおいて、前記グラフ表示部は、前記バーグラフを前記表示装置の画面における横方向の長さが変化するように表示する機能を有することがさらに好ましい。
【００１６】
この資源管理システムにおいて、前記文字表示部は、前記文字表示部は、前記管理量を表す数値を含む文字を前記グラフに対応付けて前記表示装置に表示させる機能を有することが好ましい。
【００１７】
この資源管理システムにおいて、前記管理量の種類を選択する種類選択部をさらに備えることが好ましい。
【００１８】
本発明に係る資源管理装置は、施設に設定された計測点ごとに所定の評価期間にわたって計測した使用資源量を記憶する原データ記憶部と、前記計測点と前記施設に関する所定の管理単位との対応関係を記憶している関係記憶部と、前記管理単位の名称を含む前記管理単位ごとの属性情報を記憶している属性記憶部とともに用いられる資源管理装置であって、前記関係記憶部が記憶している前記対応関係に基づいて前記原データ記憶部から前記管理単位ごとの前記使用資源量を読み出すデータ抽出部と、前記データ抽出部が前記原データ記憶部から読み出した前記使用資源量から導出される管理量を表示装置に表示させる表示制御部とを備え、前記表示制御部は、前記管理単位ごとに前記管理量を前記表示装置にグラフの形式で表示させるグラフ表示部と、前記属性記憶部から抽出した前記管理単位の名称を含む文字を前記グラフに対応付けて前記表示装置に表示させる文字表示部とを備えることを特徴とする。
【００１９】
この資源管理装置において、前記表示装置は通信路を介して接続される利用者端末に設けられ、前記表示制御部と前記通信路との間に設けられる通信インターフェイス部をさらに備えることが好ましい。
【００２０】
本発明に係る表示装置は、施設に設定された計測点ごとに所定の評価期間にわたって計測した使用資源量を記憶する原データ記憶部と、前記計測点と前記施設に関する所定の管理単位との対応関係を記憶している関係記憶部と、前記管理単位の名称を含む前記管理単位ごとの属性情報を記憶している属性記憶部とともに用いられる表示装置であって、前記関係記憶部が記憶している前記対応関係に基づいて前記原データ記憶部から前記管理単位ごとの前記使用資源量を読み出すデータ抽出部と、前記データ抽出部が前記原データ記憶部から読み出した前記使用資源量から導出される管理量を表示する表示器と、前記管理単位ごとに前記管理量を前記表示装置にグラフの形式で表示させるグラフ表示部と、前記属性記憶部から抽出した前記管理単位の名称を含む文字を前記グラフに対応付けて前記表示装置に表示させる文字表示部とを備えることを特徴とする。
【発明の効果】
【００２１】
本発明の構成によれば、管理量に応じて長さが変化するバーグラフの形式で、管理単位ごとに１本のバーグラフを割り当て、管理単位の名称を含む文字をバーグラフに対応付けて表示装置に表示させるから、使用資源量の大小の程度を利用者に直観的に認識させることが可能になり、しかも表示された使用資源量と管理単位との対応関係が把握しやすくなるという利点を有する。
【図面の簡単な説明】
【００２２】
【図１】実施形態を示すブロック図である。
【図２】同上における階層関係の例を示す図である。
【図３】同上における表示装置の表示例を示す図である。
【図４】同上における表示装置の表示例を示す図である。
【図５】同上における表示装置の表示例を示す図である。
【発明を実施するための形態】
【００２３】
資源管理システムは、建物、公園、競技場、街区などの施設で使用された資源量を管理者が管理する目的で用いられ、施設ごとに設定された計測点で計測された使用資源量を電気通信網を通して一箇所で集約して管理可能にするように構成される。また、電力、ガスなどの供給事業者（電力会社やガス会社）からの伝票に記載された使用資源量、供給事業者に計測された使用資源量を、メモリカードのような記録媒体に記録し、ウェブ画面からアップロードする場合も以下の技術を適用可能である。
【００２４】
資源は、電力、ガス、水道、熱などを意味し、主として供給事業者から対価に代えて供給される資源を想定しているが、分散電源などを用いて自家で発電する電力などを含んでいてもよい。計測点は、適宜に設定された管理単位ごとに設けられる。管理単位は、資源の種類、資源を消費する機器、施設において機器に資源を供給する経路、施設の構造に基づいて分割される空間（たとえば、複数階を備える建物の各階や各部屋）、施設全体などであって、管理目的に応じて適宜に選択される。
【００２５】
以下に説明する実施形態では、サービス提供事業者が、複数の施設における使用資源量を管理する場合を想定する。言い換えると、サービス提供事業者は、施設の管理者を顧客として、施設での使用資源量の管理を代行するサービスを行うために、以下に説明する資源管理システムを用いる。
【００２６】
図２に示すように、管理単位２０１〜２０５は、顧客、事業場、事業場に含まれる建物、建物の各階、各階に設定された区画とし、最大で５段階に階層化されている場合を例として説明する。事業場の住所が特定できる場合は事業所が施設とみなされ、事業場に含まれる建物ごとに住所が特定できる場合は建物が施設とみなされる。施設の範囲はとくに制限がなく、顧客が管理下における所望の階層での一単位を施設の範囲として扱うことが可能である。以下では、１つの建物を施設として扱う。
【００２７】
管理単位２０１〜２０５の階層は顧客の規模に応じて異なり、顧客によっては１階層の場合（つまり、階層化しない場合）もある。計測点は適宜に設定され、複数の計測点が機器に設定される場合もあるが、ここでは、計測点が管理単位ごとに設定されている場合を例示する。また、管理単位２０１〜２０５の資源は電力とする。
【００２８】
図１に示すように、５階層の管理単位２０１〜２０５のうち、下位の３階層の管理単位２０３〜２０５にそれぞれ計測装置３０３〜３０５が設けられる。つまり、施設としての建物を最上層として３階層の管理単位２０３〜２０５にそれぞれ計測点が設定され、計測点ごとに計測装置３０３〜３０５が配置される。また、計測装置３０３〜３０５が配置された管理単位２０３〜２０５ごとに、計測装置３０３〜３０５が計測した使用電力量（使用資源量）を収集する収集装置３１３〜３１５が配置される。
【００２９】
収集装置３１３〜３１５は、計測装置３０３〜３０５が単位時間ごとに取得した電力量を瞬時電力量として、所定の評価期間にわたって瞬時電力量を積算し、瞬時電力量の積算値を使用電力量とする。計測装置３０３〜３０５が電力量を取得する単位時間は、たとえば、３０秒、１分間、５分間などから選択され、また、収集装置３１３〜３１５が瞬時電力量を積算する評価期間は、たとえば、１日、１週間、１ヶ月、１年間などから選択される。
【００３０】
以下では、評価期間が１ヶ月であって、収集装置３１３〜３１５が、昼の時間帯（６〜１８時）と夜の時間帯（１８時〜翌日６時）とに分けて瞬時電力量を積算する例を示す。したがって、収集装置３１３〜３１５は、管理単位２０３〜２０５ごとに、１ヶ月間の使用電力量を、昼の時間帯と夜の時間帯とに分けて計測することになる。収集装置３１３〜３１５は管理単位２０３〜２０５ごとに設けられていることが望ましいが、上位階層の使用電力量は当該上位階層に所属する下位階層の使用電力量の総和として求めてもよい。この場合、収集装置３１３〜３１５は、最下層の管理単位２０３〜２０５にのみ設けられていればよい。
【００３１】
収集装置３１３〜３１５を備える管理単位２０３〜２０５は、収集装置３１３〜３１５が収集したデータ（使用電力量）を資源管理装置１０に伝送する通信装置３２３〜３２５も備える。通信装置３２３〜３２５は、資源管理装置１０との間で電気通信網ＮＴ１を通して通信する。資源管理装置１０は、サービス提供事業者が管理する。収集装置３１３〜３１５が収集したデータを通信装置３２３〜３２５が資源管理装置１０に伝送するタイミングは、資源管理装置１０から要求された時点とすればよい。ただし、収集装置３１３〜３１５ごとに定めた時刻になると、収集装置３１３〜３１５が資源管理装置１０にデータを自発的に伝送してもよい。
【００３２】
なお、計測装置３０３〜３０５と収集装置３１３〜３１５と通信装置３２３〜３２５とは、それぞれ個別のケースを備える構成のほか、適宜に組み合わせてケースに収納されていてもよい。たとえば、計測装置３０３〜３０５は、分電盤に収納されるか分電盤に並設され、収集装置３１３〜３１５および通信装置３２３〜３２５は、１つのケースを共用すればよい。
【００３３】
資源管理装置１０は、通信装置３２３〜３２５との間で通信する通信インターフェイス部（以下、「通信Ｉ／Ｆ部」という）１１１と、通信Ｉ／Ｆ部１１１を通して収集装置３１３〜３１５からデータを取得する取得部１１２とを備える。通信Ｉ／Ｆ部１１１と通信装置３２３〜３２５との間でデータの伝送に用いられる電気通信網ＮＴ１は、専用通信網であることが望ましい。ただし、専用通信網を構築するには多大な費用を要するから、電気通信網ＮＴ１は、インターネットのような汎用通信網であってもよい。この場合、通信装置３２３〜３２５と通信Ｉ／Ｆ１１１との間に、ＶＰＮ（Virtual Private Network）が構築されていることが望ましい。
【００３４】
資源管理装置１０は、電気通信網ＮＴ１に接続され通信装置３２３〜３２５との間で通信する管理サーバ１１と、管理サーバ１１との間で通信する利用者端末１２とを備える。以下に説明する管理サーバ１１および利用者端末１２の機能は、１台のコンピュータで実現することも可能であるが、管理サーバ１１および利用者端末１２の機能は、異なるコンピュータに分離して実現することが望ましい。この場合、管理サーバ１１と利用者端末１２とは、電気通信網ＮＴ１を通して通信するか、管理サーバ１１と利用者端末１２との間で電気通信網ＮＴ１とは別の電気通信網（図示せず）を通して通信する。また、管理サーバ１１と利用者端末１２との台数にとくに制限はなく、たとえば、電気通信網ＮＴ１に複数台の管理サーバ１１が接続されていてもよい。
【００３５】
管理サーバ１１は、上述した通信Ｉ／Ｆ部１１１と取得部１１２とのほか、計測点ごとに評価期間にわたって計測された使用電力量を記憶する原データ記憶部１１３を備える。つまり、原データ記憶部１１３は、収集装置３１３〜３１５から取得部１１２が取得した評価期間における使用電力量を、計測点（計測装置３１３〜３１５）と評価期間とに対応付けて記憶する。
【００３６】
また、管理サーバ１１は、計測点と管理単位２０１〜２０５との対応関係を記憶している関係記憶部１１４と、管理単位２０１〜２０５ごとに管理単位２０１〜２０５の名称を含む属性情報を記憶している属性記憶部１１５とを備える。属性情報は、管理単位２０１〜２０５の名称だけではなく、顧客の名称、施設の名称と場所と用途のように、資源管理に必要な顧客の情報を含む。さらに、属性情報は、管理単位２０１〜２０５の階層関係も含む。
【００３７】
上記説明からわかるように、管理サーバ１１は、データを記憶するデータベースシステムとしての機能を有する。管理サーバ１１は、電気通信網ＮＴ１において、いわゆるクラウドシステムを構築する多数台の記憶装置に分散して記憶されていてもよい。
【００３８】
利用者端末１２は、電気通信網ＮＴ１に接続するための通信Ｉ／Ｆ１２１を備え、さらに、関係記憶部１１４が記憶している対応関係に基づいて原データ記憶部１１３から管理単位２０１〜２０５ごとの使用電力量を読み出すデータ抽出部１２２を備える。すなわち、データ抽出部１２２は、関係記憶部１１４に記憶された計測点と管理単位２０１〜２０５との対応関係に基づいて、管理単位２０１〜２０５ごとに当該管理単位２０１〜２０５に含まれる計測点で計測された使用電力量を原データ記憶部１１３から抽出する。
【００３９】
データ抽出部１２２が抽出した使用電力量は、利用者端末１２に設けられた表示用記憶部１２３に、管理単位２０１〜２０５に対応付けて一時的に保持される。表示用記憶部１２３に保持された使用電力量は、グループ処理部１２４が属性記憶部１１５を参照して読み出し、施設に対応する管理単位２０１〜２０５ごとに使用電力量をグループ化する。属性記憶部１１５には、管理単位２０１〜２０５の階層関係も含まれているから、グループ処理部１２４は、この階層関係を利用して管理単位２０１〜２０５ごとの使用電力量を算出する。グループ処理部１２４が算出した使用電力量は、表示用記憶部１２３に一時的に保持される。
【００４０】
グループ処理部１２４が算出し、管理単位２０１〜２０５ごとに表示用記憶部１２３に保持された使用電力量は、表示制御部１２５に引き渡される。表示制御部１２５は、管理単位２０１〜２０５ごとの使用電力量から導出される所要の管理量を表示装置１３に表示させる。
【００４１】
管理量は、管理単位２０１〜２０５ごとの使用電力量のほかに、管理単位２０１〜２０５の使用電力量を床面積で除した原単位、使用電力量から換算した二酸化炭素排出量などから選択される。どの管理量を表示装置１３に表示するかは、利用者端末１２に設けられた入力装置１２６の操作によって選択される。
【００４２】
具体的には、図３に示すように、表示装置１３の画面に種類選択部としてポップアップメニューの機能を有した選択釦ＳＢ１が表示され、選択釦ＳＢ１の操作により管理量が選択される。入力装置１２６は、表示装置１３とは分離して設けられたマウスやトラックパッドのようなポインティングデバイスと、表示装置１３の画面に重ねて設けられ指やタッチペンで操作されるタッチパネルとから選択される。
【００４３】
ポインティングデバイスが用いられる場合、カーソルが選択釦ＳＢ１に重ねられると選択肢が展開するから、所望の選択肢にカーソルを移動させて、クリックの操作を行えば所望の管理量が選択される。また、タッチパネルが用いられる場合、選択釦ＳＢ１に指あるいはタッチペンで触れると選択肢が展開するから、所望の選択肢まで指あるいはタッチペンをスライドさせて、タップの操作を行えば所望の管理量が選択される。
【００４４】
ところで、表示制御部１２５は、管理量に応じて長さが変化する１本のバーグラフの形式で管理量を表示装置１３に表示させるグラフ表示部１２５１を備える。グラフ表示部１２５１は、初期状態では、最上層の管理単位２０１〜２０５について１本ずつのバーグラフを表示装置１３に表示する。
【００４５】
グラフ表示部１２５１は、１つの事業場に複数の建物が含まれている場合は事業場に対応する管理単位２０２を最上層とし、１つの事業場に１つの建物しか含まれていない場合は建物に対応する管理単位２０３を最上層とする。ただし、グラフ表示部１２５１が顧客に対応する管理単位２０１を最上層とすることを妨げない。要するに、どの管理単位２０１〜２０５を初期状態において表示するかは、顧客ごとの管理単位２０１〜２０５の階層関係や顧客からの指示によって設定される。
【００４６】
表示制御部１２５は、グラフ表示部１２５１が表示装置１３に表示しているバーグラフに対応した管理単位２０１〜２０５の名称を含む文字を、バーグラフのそれぞれに対応付けて表示する文字表示部１２５２を備える。また、文字表示部１２５２は、管理量を表す数値をバーグラフに対応付けて表示することが望ましい。
【００４７】
ここに、グラフ表示部１２５１は、初期状態において表示装置１３に表示する最上層の管理単位２０１〜２０５が複数存在している場合に、バーグラフの長さが変化する方向とは交差する方向にバーグラフを並べて一覧表示にする機能を有する。つまり、初期状態において表示装置１３に表示される最上層の管理単位２０１〜２０５は、属性記憶部１１５が最上層に対応する管理単位２０１〜２０５を複数記憶している場合に、各管理単位２０１〜２０５のバーグラフが並べて一覧できるように表示される。なお、バーグラフの本数が多く、表示装置１３の１画面にすべてのバーグラフを並べて表示することができない場合には、画面のスクロールやページの切替を行う。
【００４８】
表示装置１３の初期状態における表示例を図３に示す。図３は、顧客が、Ａ事業場、Ｂ建物…Ｅ建物、Ｆ事業場、Ｇ建物…Ｌ建物を、管理単位２０２，２０３として選択した場合を例示しており、管理単位２０２，２０３に一対一に対応付けたバーグラフＢ１１〜Ｂ２２が示されている。グラフ表示部１２５１は、バーグラフＢ１１〜Ｂ２２が長さを変化させる方向を、表示装置１３の画面の横方向（水平方向）に一致させ、バーグラフＢ１１〜Ｂ２２を画面の縦方向（垂直方向）に一致させるように表示する。
【００４９】
ところで、バーグラフＢ１１〜Ｂ２２は、それぞれバーグラフＢ１１〜Ｂ２２が長さを変化させる方向において３領域Ｄ１〜Ｄ３に分割されている。文字表示部１２５２は、左端の領域Ｄ１に管理単位２０２，２０３を表す文字を表示し、右端の領域Ｄ３に管理量としての原単位を表す数値ｃ１１〜ｃ２２を表示している。さらに、文字表示部１２５２は、中央の領域Ｄ２に管理量としての使用電力量（「今月の実績値」と表記している）を表す数値ｂ１１〜ｂ２２を示している。
【００５０】
グラフ表示部１２５１は、図示例では、左端の領域Ｄ１と中央の領域Ｄ２との長さを変化させず、右端の領域Ｄ３のみ管理量に応じて長さを変化させている。つまり、右端の領域Ｄ３は、右端の領域Ｄ３に表示された管理量の数値の大小に応じて長さが変化し、管理量の大小について目安を与える。
【００５１】
また、表示装置１３の画面の右端部は、バーグラフＢ１１〜Ｂ２２が長さを変化させる方向において、３つのゾーンＺ１〜Ｚ３に分割されている。ゾーンＺ１〜Ｚ３は、管理量についてあらかじめ設定した目標値に対する達成度を表している。バーグラフＢ１１〜Ｂ２２の右端がゾーンＺ１内であれば、管理量が目標値まで余裕があることを表し、バーグラフＢ１１〜Ｂ２２の右端がゾーンＺ３内であれば、管理量が目標値を超えていることを意味する。また、バーグラフＢ１１〜Ｂ２２の右端が中央のゾーンＺ２内であれば、目標値を達成していることを表す。
【００５２】
ところで、関係記憶部１１４は、管理単位２０１〜２０５を階層構造で記憶している。利用者端末１２は、管理単位２０１〜２０５の階層構造を表示装置１３に表すために、選択処理部１２７と詳細表示部１２８とを備える。選択処理部１２７は、バーグラフＢ１１〜Ｂ２２に対応する管理単位２０１〜２０５に下階層が存在する場合、下階層に展開する操作が行われると、次下階層のバーグラフＢ１１１〜Ｂ１１４（図４参照）に表示内容を切り替えさせる。
【００５３】
バーグラフＢ１１〜Ｂ２２に下階層が存在することは、バーグラフＢ１１〜Ｂ２２の左側に三角形のマークＭ１が存在することと、バーグラフＢ１１〜Ｂ２２に影が付与されていることとにより示される。マークＭ１は三角形の頂点を右に向けている。図３に示す例では、Ａ事業場、Ｄ建物、Ｆ事業場、Ｉ建物にマークＭ１と影が付与されており、下階層が存在することが示されている。
【００５４】
Ａ事業場（管理単位２０２）を展開した例を図４に示す。図示例は、Ａ事業場の下階層に「本館」「別館」「Ａ棟」「Ｂ棟」の４つの建物が管理単位２０３として存在していることを表している。グラフ表示部１２５１は、選択処理部１２７から表示内容を切り替える指示を受けると、展開された下階層について、上階層と同様に、表示装置１３にバーグラフＢ１１１〜Ｂ１１４を表示する。
【００５５】
表示制御部１２５は、バーグラフＢ１１１〜Ｂ１１４を、バーグラフＢ１１〜Ｂ２２と同様の形式で表示する。すなわち、バーグラフＢ１１１〜Ｂ１１４は、３個の領域Ｄ１〜Ｄ３に区分され、領域Ｄ１には管理単位２０３を表す文字が表示され、領域Ｄ２，Ｄ３には管理量を表す数値が表示される。また、領域Ｄ３に表示された管理量の数値の大小に応じてバーグラフＢ１１１〜Ｂ１１４の長さが変化する。
【００５６】
図示例では、Ａ事業場が下階層に展開されていることを示すために、Ａ事業場に対応する三角形のマークＭ１が頂点を下に向けている。また、「本館」にさらに下階層が存在することが三角形のマークＭ２により示されている。
【００５７】
バーグラフＢ１１〜Ｂ１２，Ｂ１１１〜Ｂ１１４が下階層に展開可能である場合、選択処理部１２７は、マークＭ１，Ｍ２に対応する釦領域を設定し、釦領域の操作に応じて、下階層の表示（展開）と非表示（収納）とを行う。選択処理部１２７は、バーグラフＢ１１〜Ｂ１２，Ｂ１１１〜Ｂ１１４の一部に釦領域を設定し、釦領域が操作されると、下階層の展開と収納とを行うようにしてもよい。バーグラフＢ１１〜Ｂ１２，Ｂ１１１〜Ｂ１１４に釦領域を設定する場合、たとえば、領域Ｄ１が操作されると展開し、領域Ｄ２が操作されると収納するように表示内容を切り替えることが可能である。
【００５８】
釦領域の操作は、入力装置１２６を用いて行われる。すなわち、入力装置１２６は、ポインティングデバイスまたはタッチパネルであり、ポインティングデバイスが用いられる場合は釦領域にカーソルが移動されクリックの操作が行われ、タッチパネルが用いられる場合は釦領域でタップの操作が行われる。
【００５９】
選択処理部１２７は、管理単位２０１〜２０５について設定された最下層までバーグラフを展開することが可能である。一方、バーグラフが最下層まで展開されると、次下階層が存在することを示すマークＭ１，Ｍ２は表示されなくなる。ただし、この状態でも選択処理部１２７は、バーグラフの少なくとも一部の領域に釦領域を設定している。
【００６０】
釦領域に対して所定の操作がなされると、詳細表示部１２８が起動され、詳細表示部１２８は、図５に示すように、表示装置１３の画面に詳細表示領域Ｗ１となるウインドウを開く。また、詳細表示部１２８は、釦領域が操作されたバーグラフに対応する管理単位の属性情報を属性記憶部１１５から抽出し、抽出した属性情報を詳細表示領域Ｗ１に表示させる。詳細表示領域Ｗ１には、属性情報だけではなく、管理量などが併せて表示される。要するに、バーグラフのみが表示された画面では簡略に表示されていた情報が、詳細表示領域Ｗ１ではより詳細に表示される。
【００６１】
詳細表示領域Ｗ１となるウインドウを開く操作は、たとえば「ダブルクリック」を用いる。一方、「クリック」を行った場合は、下階層のバーグラフを展開すればよい。すなわち、釦領域のクリックによって選択処理部１２７が起動され、釦領域のダブルクリックによって詳細表示部１２８が起動されるようにすることが望ましい。なお、選択処理部１２７を起動する操作と詳細表示部１２８を起動する操作とは、例として示したに過ぎず、他の操作であってもよい。
【００６２】
要旨ではないから、詳述しないが、詳細表示領域Ｗ１の表示内容は複数の選択肢を有する選択釦ＳＢ２の操作によって選択可能である。したがって、図５に示す情報以外にも、使用電力量の推移を表すグラフ、省エネルギーの目標を達成度を分析した結果などを選択して詳細表示領域Ｗ１に表示させることが可能である。
【００６３】
以上説明したように、表示装置１３の画面には、初期状態では事業場あるいは建物を管理単位２０２，２０３に対応したバーグラフＢ１１〜Ｂ２２が表示され、着目する管理量の大小がバーグラフＢ１１〜Ｂ２２の長さで表されている。したがって、利用者端末１２を操作する利用者は、管理単位２０２，２０３ごとの管理量を一覧して直観的に理解することが可能になる。つまり、管理単位２０１〜２０５ごとの使用資源量を一覧して比較することが容易になり、結果的に使用資源量の管理が容易になる。仮に、初期状態の画面において管理単位２０１〜２０５の詳細や管理量の時間変化のように多くの情報が利用者に提示されると、利用者にとってわかりにくく、必要な情報を認識するまでに比較的長い時間を要することになる。
【００６４】
なお、グラフ表示部１２５１は、バーグラフに代えて帯グラフを表示装置１３の画面に表示してもよい。また、バーグラフを３領域Ｄ１〜Ｄ３に分割しているが、分割数についてとくに制限はなく、たとえば２分割でもよい。さらに、グラフ表示部１２５１は、３領域Ｄ１〜Ｄ３のうちの右端の領域Ｄ３の長さを管理量に応じて変化させているが、中央の領域Ｄ２の長さを管理量に応じて変化させることも可能である。あるいは、中央と右端との２つの領域Ｄ２，Ｄ３の長さを、それぞれの領域Ｄ２，Ｄ３に対応して表示される管理量に応じて変化させてもよい。
【００６５】
利用者端末１２は、汎用のコンピュータ、タブレット端末、スマートホンのように、プログラムに従って動作するプロセッサと、通信Ｉ／Ｆ部１１１を構成するインターフェイス部と、イメージの表示が可能な表示器とを備える装置を用いて実現してもよい。この場合、利用者端末１２の機能を実現するプログラムを提供することにより、汎用のコンピュータ、タブレット端末、スマートホンなどを利用者端末１２として用いることが可能になる。
【００６６】
また、上述した利用者端末１２を管理サーバ１１に対するシンクライアントとして構成し、データ抽出部１２２、グループ処理部１２４、表示制御部１２５の機能を管理サーバ１１に設けてもよい。つまり、資源管理装置１０を管理サーバ１１により構成し、利用者装置１２を表示装置１３として用いてもよい。この場合、表示装置１３となる利用者端末１２は、資源管理装置１０に対して通信路を介して接続される。したがって、この場合、資源管理装置１０は、表示装置１３が接続される通信路と表示制御部１２５との間に通信Ｉ／Ｆ部１２９が設けられる。この通信Ｉ／Ｆ部１２９は、通信Ｉ／Ｆ１１１とは別に設けられる。
【００６７】
管理サーバ１１と利用者端末１２とを１台のコンピュータで実現する場合、管理サーバ１１と利用者端末１２との機能を表示装置１３に組み込むことも可能である。つまり、資源管理装置１０の機能を一体化した表示装置１３を提供することも可能である。
【符号の説明】
【００６８】
１０  資源管理装置
１１  管理サーバ
１２  利用者端末
１３  表示装置
１１３  原データ記憶部
１１４  関係記憶部
１１５  属性記憶部
１２２  データ抽出部
１２５  表示制御部
１２５  入力装置
１２６  選択釦（種類選択部）
１２７  選択処理部
１２８  詳細表示部
１２９  通信インターフェイス部
２０１〜２０５  管理単位
３０３〜３０５  計測装置
１１５１  グラフ表示部
１１５２  文字表示部
Ｂ１１〜Ｂ２２  バーグラフ
Ｂ１１１〜Ｂ１１４  バーグラフ
Ｗ１  詳細表示領域
【図１】
2014092814.tif 000003
【図２】
2014092814.tif 000004
【図３】
2014092814.tif 000005
【図４】
2014092814.tif 000006
【図５】
2014092814.tif 000007